(57)【要約】【課題】ユーザに不要な操作を課すことの無い車載器、車載器の制御方法及びコンピュータプログラムを提供する。【解決手段】液晶ディスプレイ１５に操作画面が表示された状態でショートカット登録ボタンが押下された場合に、該操作画面と対応付けたショートカットアイコンを生成するとともに、生成されたショートカットアイコンがユーザに選択された場合に、該ショートカットアイコンに対応付けられた操作画面を液晶ディスプレイ１５に表示する。その一方で、車両の状態を取得し、取得した車両の状態に基づいて、規制対象となる操作画面を特定し、生成されたショートカットアイコンに対応付けられた操作画面が規制対象に特定された場合には、該ショートカットアイコンの表示態様を変更するように構成する。【選択図】図９
2012132853.tif 000002
【特許請求の範囲】
【請求項１】
ユーザにより操作対象となる操作対象物を配置した操作画面において前記操作対象物が操作された場合に、該操作対象物の操作内容に基づいて制御を行う制御手段と、
前記操作画面と対応付けたショートカットアイコンを生成するショートカットアイコン生成手段と、
前記ショートカットアイコンがユーザに選択された場合に、該ショートカットアイコンに対応付けられた前記操作画面を表示装置に表示するショートカット画面表示手段と、
車両の状態を取得する車両状態取得手段と、
前記車両状態取得手段により取得した前記車両の状態に基づいて、規制対象となる操作画面を特定する規制画面特定手段と、
前記ショートカットアイコン生成手段により生成された前記ショートカットアイコンに対応付けられた前記操作画面が前記規制画面特定手段により規制対象に特定された場合に、該ショートカットアイコンの表示態様を変更する表示態様変更手段と、を有することを特徴とする車載器。
【請求項２】
前記車両状態取得手段により取得した前記車両の状態に基づいて、ユーザによる操作を規制する対象となる前記操作対象物を規制操作対象物として特定する規制操作対象物特定手段を有し、
前記規制画面特定手段は、前記操作画面に配置された前記操作対象物が前記規制操作対象物特定手段により前記規制操作対象物に特定された場合に、該操作画面を規制対象に特定することを特徴とする請求項１に記載の車載器。
【請求項３】
前記車両の状態毎に前記操作対象物をユーザによる操作を規制する対象とするか否かを規定した規制テーブルを有し、
前記規制操作対象物特定手段は、前記規制テーブルと前記車両状態取得手段により取得した前記車両の状態とに基づいて、前記規制操作対象物を特定することを特徴とする請求項２に記載の車載器。
【請求項４】
前記車両状態取得手段は、前記車両が走行状態にあることを取得し、
前記規制操作対象物特定手段は、前記車両が走行状態にあることが取得された場合に、機能を実行する為に所定回数以上のユーザの操作を必要とする前記操作対象物を前記規制操作対象物に特定することを特徴とする請求項２又は請求項３に記載の車載器。
【請求項５】
出発地から目的地までの案内経路を設定する案内経路設定手段を有し、
前記車両状態取得手段は、前記車両が前記案内経路に基づいて走行案内が行われていない状態にあることを取得することを特徴とする請求項１乃至請求項３のいずれかに記載の車載器。
【請求項６】
ユーザにより操作対象となる操作対象物を配置した操作画面において前記操作対象物が操作された場合に、該操作対象物の操作内容に基づいて制御を行う制御ステップと、
前記操作画面と対応付けたショートカットアイコンを生成するショートカットアイコン生成ステップと、
前記ショートカットアイコンがユーザに選択された場合に、該ショートカットアイコンに対応付けられた前記操作画面を表示装置に表示するショートカット画面表示ステップと、
車両の状態を取得する車両状態取得ステップと、
前記車両状態取得ステップにより取得した前記車両の状態に基づいて、規制対象となる操作画面を特定する規制画面特定ステップと、
前記ショートカットアイコン生成ステップにより生成された前記ショートカットアイコンに対応付けられた前記操作画面が前記規制画面特定ステップにより規制対象に特定された場合に、該ショートカットアイコンの表示態様を変更する表示態様変更ステップと、を有することを特徴とする車載器の制御方法。
【請求項７】
コンピュータに搭載され、
ユーザにより操作対象となる操作対象物を配置した操作画面において前記操作対象物が操作された場合に、該操作対象物の操作内容に基づいて制御を行う制御機能と、
前記操作画面と対応付けたショートカットアイコンを生成するショートカットアイコン生成機能と、
前記ショートカットアイコンがユーザに選択された場合に、該ショートカットアイコンに対応付けられた前記操作画面を表示装置に表示するショートカット画面表示機能と、
車両の状態を取得する車両状態取得機能と、
前記車両状態取得機能により取得した前記車両の状態に基づいて、規制対象となる操作画面を特定する規制画面特定機能と、
前記ショートカットアイコン生成機能により生成された前記ショートカットアイコンに対応付けられた前記操作画面が前記規制画面特定機能により規制対象に特定された場合に、該ショートカットアイコンの表示態様を変更する表示態様変更機能と、
をプロセッサに実行させることを特徴とするコンピュータプログラム。
【発明の詳細な説明】
【技術分野】
【０００１】
本発明は、表示装置に表示された操作画面において行われた操作に基づいて制御を行う車載器、車載器の制御方法及びコンピュータプログラムに関する。
【背景技術】
【０００２】
近年、車両にはナビゲーション装置を含め様々な車載器が車両に搭載されている。例えば、ナビゲーション装置は、ＧＰＳ受信機などにより自車の現在位置を検出し、その現在位置に対応する地図データをＤＶＤ−ＲＯＭやＨＤＤなどの記録媒体またはネットワークを通じて取得して表示装置に表示することが可能な装置である。更に、かかるナビゲーション装置では、表示装置に表示された操作画面を操作することによって各種制御を実行する。例えば、車両周辺に位置する施設の検索を行ったり、車両の目的地を設定して、出発地（例えば車両の現在位置）から目的地までの経路を設定する。
【０００３】
また、従来では、上述した各種処理を実行する場合においてユーザの操作負担を軽減する為に、ショートカットアイコンを生成することが行われている。例えば、特開２００４−１３２７４０号公報では、ショートカット設定画面においてショートカットアイコンを生成する対象となる機能を選択することによって、選択された機能を登録したショートカットアイコンを生成し、ディスプレイの右端に常に表示する技術について記載されている。その結果、従来の技術では、ユーザがディスプレイに表示されたショートカットアイコンを選択することによって、該ショートカットアイコンに登録された機能を簡単な操作で実行することが可能となる。
【先行技術文献】
【特許文献】
【０００４】
【特許文献１】特開２００４−１３２７４０号公報（第６頁〜第８頁、図５、図７）
【発明の概要】
【発明が解決しようとする課題】
【０００５】
ここで、上記ナビゲーション装置等の車載器では、常に操作画面を用いたすべての操作が実行できるのではなく、現在の車両の状態ではユーザに行わせるのが不適だと考えられる操作や、行わせる必要が無い操作については、制限することが行われている。例えば、車両が走行中の場合には、運転者に走行を集中して行わせる為に複雑な操作を行わせるのは適当でないので、制限する場合がある。従って、上記特許文献１に記載の技術では、ショートカットアイコンを選択することによって登録された機能を実行したとしても、実行された機能においてユーザが操作を行うことができない場合があった。その場合には、ユーザの希望する処理が実行できないことに加えて、ユーザに不要な操作を課すこととなっていた。例えば、目的地検索機能を登録したショートカットアイコンを選択して、目的地検索画面をディスプレイに表示したとしても、検索条件の入力操作が行うことができない場合には、目的地検索を行うことができず、且つ再度ユーザに走行案内画面へと戻る操作を課すこととなる。
【０００６】
本発明は前記従来における問題点を解消するためになされたものであり、予め規制対象となる操作画面を表示装置に表示させるショートカットアイコンについては表示態様を変更することにより、ユーザに不要な操作を課すことの無い車載器、車載器の制御方法及びコンピュータプログラムを提供することを目的とする。
【課題を解決するための手段】
【０００７】
前記目的を達成するため本願の請求項１に係る車載器（１）は、ユーザにより操作対象となる操作対象物（７２〜７９）を配置した操作画面（７１、９１、９４）において前記操作対象物が操作された場合に、該操作対象物の操作内容に基づいて制御を行う制御手段（１３）と、前記操作画面と対応付けたショートカットアイコン（６０〜６２）を生成するショートカットアイコン生成手段（１３）と、前記ショートカットアイコンがユーザに選択された場合に、該ショートカットアイコンに対応付けられた前記操作画面を表示装置（１５）に表示するショートカット画面表示手段（１３）と、車両の状態を取得する車両状態取得手段（１３）と、前記車両状態取得手段により取得した前記車両の状態に基づいて、規制対象となる操作画面を特定する規制画面特定手段（１３）と、前記ショートカットアイコン生成手段により生成された前記ショートカットアイコンに対応付けられた前記操作画面が前記規制画面特定手段により規制対象に特定された場合に、該ショートカットアイコンの表示態様を変更する表示態様変更手段と、を有することを特徴とする。
尚、「操作対象物」としては、アイコン、ボタン、カーソル等を含む。
また、「表示態様を変更する」とは、表示色、表示サイズ、字体等を変更することに加えて、表示の有無を変更することも含む。
【０００８】
また、請求項２に係る車載器（１）は、請求項１に記載の車載器において、前記車両状態取得手段（１３）により取得した前記車両の状態に基づいて、ユーザによる操作を規制する対象となる前記操作対象物（７２〜７９）を規制操作対象物として特定する規制操作対象物特定手段（１３）を有し、前記規制画面特定手段（１３）は、前記操作画面（７１、９１、９４）に配置された前記操作対象物が前記規制操作対象物特定手段により前記規制操作対象物に特定された場合に、該操作画面を規制対象に特定することを特徴とする。
【０００９】
また、請求項３に係る車載器（１）は、請求項２に記載の車載器において、前記車両の状態毎に前記操作対象物（７２〜７９）をユーザによる操作を規制する対象とするか否かを規定した規制テーブル（３３）を有し、前記規制操作対象物特定手段（１３）は、前記規制テーブルと前記車両状態取得手段（１３）により取得した前記車両の状態とに基づいて、前記規制操作対象物を特定することを特徴とする。
【００１０】
また、請求項４に係る車載器（１）は、請求項２又は請求項３に記載の車載器において、前記車両状態取得手段（１３）は、前記車両が走行状態にあることを取得し、前記規制操作対象物特定手段（１３）は、前記車両が走行状態にあることが取得された場合に、機能を実行する為に所定回数以上のユーザの操作を必要とする前記操作対象物（７２〜７９）を前記規制操作対象物に特定することを特徴とする。
【００１１】
また、請求項５に係る車載器（１）は、請求項１乃至請求項３のいずれかに記載の車載器において、出発地から目的地までの案内経路を設定する案内経路設定手段（１３）を有し、前記車両状態取得手段（１３）は、前記車両が前記案内経路に基づいて走行案内が行われていない状態にあることを取得することを特徴とする。
【００１２】
また、請求項６に係る車載器の制御方法は、ユーザにより操作対象となる操作対象物（７２〜７９）を配置した操作画面（７１、９１、９４）において前記操作対象物が操作された場合に、該操作対象物の操作内容に基づいて制御を行う制御ステップと、前記操作画面と対応付けたショートカットアイコン（６０〜６２）を生成するショートカットアイコン生成ステップと、前記ショートカットアイコンがユーザに選択された場合に、該ショートカットアイコンに対応付けられた前記操作画面を表示装置（１５）に表示するショートカット画面表示ステップと、車両の状態を取得する車両状態取得ステップと、前記車両状態取得ステップにより取得した前記車両の状態に基づいて、規制対象となる操作画面を特定する規制画面特定ステップと、前記ショートカットアイコン生成ステップにより生成された前記ショートカットアイコンに対応付けられた前記操作画面が前記規制画面特定ステップにより規制対象に特定された場合に、該ショートカットアイコンの表示態様を変更する表示態様変更ステップと、を有することを特徴とする。
【００１３】
更に、請求項７に係るコンピュータプログラムは、コンピュータに搭載され、ユーザにより操作対象となる操作対象物（７２〜７９）を配置した操作画面（７１、９１、９４）において前記操作対象物が操作された場合に、該操作対象物の操作内容に基づいて制御を行う制御機能と、前記操作画面と対応付けたショートカットアイコン（６０〜６２）を生成するショートカットアイコン生成機能と、前記ショートカットアイコンがユーザに選択された場合に、該ショートカットアイコンに対応付けられた前記操作画面を表示装置（１５）に表示するショートカット画面表示機能と、車両の状態を取得する車両状態取得機能と、前記車両状態取得機能により取得した前記車両の状態に基づいて、規制対象となる操作画面を特定する規制画面特定機能と、前記ショートカットアイコン生成機能により生成された前記ショートカットアイコンに対応付けられた前記操作画面が前記規制画面特定機能により規制対象に特定された場合に、該ショートカットアイコンの表示態様を変更する表示態様変更機能と、を実行させることを特徴とする。
【発明の効果】
【００１４】
前記構成を有する請求項１に記載の車載器によれば、予め規制対象となる操作画面を表示装置に表示させるショートカットアイコンについては表示態様を変更するので、規制対象となる操作画面に対応付けられたショートカットアイコンについては、選択前にユーザに容易に把握させることが可能となる。その結果、規制対象となる操作画面に対応付けられたショートカットアイコンが選択されて、ユーザに不要な操作を課すことを防止できる。
【００１５】
また、請求項２に記載の車載器によれば、車両の状態に基づいて、ユーザによる操作を規制する対象となる操作対象物を規制操作対象物として特定し、操作画面に配置された操作対象物が規制操作対象物に特定された場合に、該操作画面を規制対象に特定するので、表示されてもユーザに不要な操作を課すこととなる操作画面を適切に規制対象に特定することが可能となる。
【００１６】
また、請求項３に記載の車載器によれば、車載器の有するテーブルに基づいて規制操作対象物を特定するので、規制対象物が操作画面に多数配置される場合であってもユーザによる操作を規制する対象となる操作対象物を規制操作対象物として適切且つ容易に特定することが可能となる。従って、ＣＰＵの処理負担を軽減することが可能となる。
【００１７】
また、請求項４に記載の車載器によれば、車両が走行状態にある場合に、ユーザに操作させるのが不適だと考えられる操作対象物について規制操作対象物として適切に特定することが可能となる。その結果、規制対象となる操作画面に対応付けられたショートカットアイコンが選択されて、ユーザに不要な操作を課すことを防止できる。
【００１８】
また、請求項５に記載の車載器によれば、車両が案内経路に基づいて走行案内が行われていない状態にある場合に、ユーザに操作させる必要の無い操作対象物について規制操作対象物として適切に特定することが可能となる。その結果、規制対象となる操作画面に対応付けられたショートカットアイコンが選択されて、ユーザに不要な操作を課すことを防止できる。
【００１９】
また、請求項６に記載の車載器の制御方法によれば、予め規制対象となる操作画面を表示装置に表示させるショートカットアイコンについては表示態様を変更するので、規制対象となる操作画面に対応付けられたショートカットアイコンについては、選択前にユーザに容易に把握させることが可能となる。その結果、規制対象となる操作画面に対応付けられたショートカットアイコンが選択されて、ユーザに不要な操作を課すことを防止できる。
【００２０】
更に、請求項７に記載のコンピュータプログラムによれば、予め規制対象となる操作画面を表示装置に表示させるショートカットアイコンについては表示態様を変更させるので、規制対象となる操作画面に対応付けられたショートカットアイコンについては、選択前にユーザに容易に把握させることが可能となる。その結果、規制対象となる操作画面に対応付けられたショートカットアイコンが選択されて、ユーザに不要な操作を課すことを防止できる。
【図面の簡単な説明】
【００２１】
【図１】本実施形態に係るナビゲーション装置を示したブロック図である。
【図２】ショートカットアイコン登録テーブルの一例を示した図である。
【図３】規制テーブルの一例を示した図である。
【図４】液晶ディスプレイに表示される走行案内画面を示した図である。
【図５】本実施形態に係るショートカットアイコン登録処理プログラムのフローチャートである。
【図６】液晶ディスプレイに表示される目的地設定メニュー画面を示した図である。
【図７】本実施形態に係るショートカットアイコン操作制限処理プログラムのフローチャートである。
【図８】車両が走行中で案内状態にある場合の各操作画面を示した図である。
【図９】車両が走行中で案内状態にある場合の走行案内画面を示した図である。
【図１０】車両が停車中で非案内状態にある場合の各操作画面を示した図である。
【図１１】車両が停車中で非案内状態にある場合の走行案内画面を示した図である。
【発明を実施するための形態】
【００２２】
以下、本発明に係る施設案内装置をナビゲーション装置に具体化した一実施形態に基づき図面を参照しつつ詳細に説明する。先ず、本実施形態に係るナビゲーション装置１の概略構成について図１を用いて説明する。図１は本実施形態に係るナビゲーション装置１を示したブロック図である。
【００２３】
図１に示すように本実施形態に係るナビゲーション装置１は、ナビゲーション装置１が搭載された車両の現在位置を検出する現在位置検出部１１と、各種のデータが記録されたデータ記録部１２と、入力された情報に基づいて、各種の演算処理を行うナビゲーションＥＣＵ１３と、ユーザからの操作を受け付けるタッチパネル１４と、ユーザに対して車両周辺の地図やメニュー画面等の各種操作画面を表示する液晶ディスプレイ１５と、経路案内に関する音声ガイダンスを出力するスピーカ１６と、記憶媒体であるＤＶＤを読み取るＤＶＤドライブ１７と、プローブセンタやＶＩＣＳ（登録商標：Vehicle Information and Communication System）センタ等の情報センタとの間で通信を行う通信モジュール１８と、から構成されている。
【００２４】
以下に、ナビゲーション装置１を構成する各構成要素について順に説明する。
現在位置検出部１１は、ＧＰＳ２１、車速センサ２２、ステアリングセンサ２３、ジャイロセンサ２４等からなり、現在の車両の位置、方位、車両の走行速度、現在時刻等を検出することが可能となっている。ここで、特に車速センサ２２は、車両の移動距離や車速を検出する為のセンサであり、車両の駆動輪の回転に応じてパルスを発生させ、パルス信号をナビゲーションＥＣＵ１３に出力する。そして、ナビゲーションＥＣＵ１３は発生するパルスを計数することにより駆動輪の回転速度や移動距離を算出する。尚、上記５種類のセンサをナビゲーション装置１が全て備える必要はなく、これらの内の１又は複数種類のセンサのみをナビゲーション装置１が備える構成としても良い。
【００２５】
以下に、ナビゲーション装置１を構成する各構成要素について順に説明する。
現在位置検出部１１は、ＧＰＳ２１、車速センサ２２、ステアリングセンサ２３、ジャイロセンサ２４等からなり、現在の車両の位置、方位、車両の走行速度、現在時刻等を検出することが可能となっている。ここで、特に車速センサ２２は、車両の移動距離や車速を検出する為のセンサであり、車両の駆動輪の回転に応じてパルスを発生させ、パルス信号をナビゲーションＥＣＵ１３に出力する。そして、ナビゲーションＥＣＵ１３は発生するパルスを計数することにより駆動輪の回転速度や移動距離を算出する。尚、上記５種類のセンサをナビゲーション装置１が全て備える必要はなく、これらの内の１又は複数種類のセンサのみをナビゲーション装置１が備える構成としても良い。
【００２６】
また、データ記録部１２は、外部記憶装置及び記録媒体としてのハードディスク（図示せず）と、ハードディスクに記録された地図情報ＤＢ３１、ショートカットアイコン登録テーブル３２、規制テーブル３３、所定のプログラム等を読み出すとともにハードディスクに所定のデータを書き込む為のドライバである記録ヘッド（図示せず）とを備えている。尚、データ記録部１２をハードディスクの代わりにメモリーカードやＣＤやＤＶＤ等の光ディスクにより構成しても良い。
【００２７】
ここで、地図情報ＤＢ３１は、例えば、道路（リンク）に関するリンクデータ、ノード点に関するノードデータ、施設等の地点に関する地点データ、地図を表示するための地図表示データ、各交差点に関する交差点データ、経路を探索するための探索データ、地点を検索するための検索データ等が記憶された記憶手段である。
【００２８】
また、ショートカットアイコン登録テーブル３２は、ナビゲーション装置１において現在登録されているショートカットアイコンに関するデータである。ここで、本実施形態に係るナビゲーション装置１では、後述のように液晶ディスプレイ１５に表示された操作画面において所定の操作を行うことにより、該操作画面と対応付けたショートカットアイコンを生成することが可能である。
【００２９】
ここで、図２にはショートカットアイコン登録テーブル３２の一例を示した図である。図２に示すように、ショートカットアイコン登録テーブル３２には、ショートカットアイコンの登録番号と、操作画面とが対応付けられて記憶されている。例えば、登録番号“００１”のショートカットアイコンは、目的地の名称検索を行う操作画面（目的地名称検索画面）が対応付けられている。また、登録番号“００２”のショートカットアイコンは、登録されている目的地の消去（解除）を行う操作画面（目的地消去画面）が対応付けられている。また、登録番号“００３”のショートカットアイコンは、目的地に関する各種設定操作を行う操作画面（目的地設定メニュー画面）が対応付けられている。
【００３０】
そして、ナビゲーションＥＣＵ１３は、後述のように操作画面が表示された状態でショートカットアイコンの生成ボタンがユーザに選択された場合には、現在表示されている操作画面を対応付けたショートカットアイコンを新たに生成し、ショートカットアイコン登録テーブル３２を更新する。また、後述のようにショートカットアイコンがユーザに選択された場合には、ショートカットアイコン登録テーブル３２を参照して対応する操作画面を特定し、特定された操作画面を液晶ディスプレイ１５に表示する。
【００３１】
一方、規制テーブル３３は、液晶ディスプレイ１５に表示される操作画面に配置される操作対象物について、車両の状態毎にユーザによる操作を規制する対象とするか否かを規定したテーブルである。尚、操作対象物はユーザによって操作対象となる物であり、例えば、アイコン、ボタン、カーソル等が該当する。また、車両の状態としては、走行状態、停車状態、ナビゲーション装置１に設定された案内経路に基づいて走行案内が行われている状態、ナビゲーション装置１に案内経路が設定されておらず、案内経路に基づく走行案内が行われていない状態等がある。
【００３２】
ここで、図３には規制テーブル３３の一例を示した図である。図３に示すように、規制テーブル３３には、操作画面毎に配置される各操作対象物に対して、ユーザによる操作を規制する対象とするか否かを規定する。例えば、車両が走行状態にある場合には、目的地の名称検索を行う際に液晶ディスプレイ１５に表示される目的地名称検索画面に配置される操作対象物の内、Ｂ０１〜Ｂ０４の操作対象物を規制の対象とすることが規定されている。また、同じく車両が走行状態にある場合には、ナビゲーション装置１に設定されている目的地を消去（解除）する際に液晶ディスプレイ１５に表示される目的地消去画面に配置される操作対象物の内、Ｂ１１〜Ｂ１４の操作対象物を規制の対象としないことが規定されている。また、同じく車両が走行状態にある場合には、目的地に関する各種設定操作を行う際に液晶ディスプレイ１５に表示される目的地設定メニュー画面に配置される操作対象物の内、Ｂ２１〜Ｂ２３の操作対象物を規制の対象とし、Ｂ２４の操作対象物を規制の対象としないことが規定されている。同様に、他の車両の状態についても操作画面毎に各操作対象物を規制の対象とするか否かが規定されている。
【００３３】
尚、規制テーブル３３においてユーザによる操作を規制する対象とする操作対象物（以下、規制操作対象物という）としては、該車両の状態ではユーザに操作させるのが不適だと考えられるものや、操作させる必要が無いものがある。例えば、車両が走行中の状態では、運転者に走行を集中して行わせる為に複雑な操作を行わせるのは適当でないので、機能を実行する為に所定回数（例えば２回）以上のユーザの操作を必要とする操作対象物（目的地名称検索画面の文字入力キー等）は規制操作対象物に規定する。また、ナビゲーション装置１において案内経路が設定されておらず、案内経路に基づく走行案内が行われていない状態（非案内状態）では、消去（解除）する対象となる目的地が存在しないので、目的地を消去する際に操作される操作対象物（目的地消去画面の消去確認ボタン等）はユーザに操作させる必要が無く、規制操作対象物に規定する。
【００３４】
そして、ナビゲーションＥＣＵ１３は、現在の車両の状態と規制テーブル３３とに基づいて、ユーザによる操作を規制する対象とする操作対象物を特定し、特定した操作対象物の表示態様を変更（例えばトーンダウン）するとともに、ユーザにより操作できないように制御する。具体的には、ユーザによって操作対象物がタッチされても、選択及び操作しないよう制御する。尚、対象となる操作対象物自体を操作画面から消去することにより、ユーザにより操作できないように制御しても良い。
【００３５】
一方、ナビゲーションＥＣＵ（エレクトロニック・コントロール・ユニット）１３は、ナビゲーション装置１の全体の制御を行う電子制御ユニットであり、演算装置及び制御装置としてのＣＰＵ４１、並びにＣＰＵ４１が各種の演算処理を行うにあたってワーキングメモリとして使用されるとともに、経路が探索されたときの経路データ等が記憶されるＲＡＭ４２、制御用のプログラムのほか、後述のショートカットアイコン登録処理プログラム（図５参照）、ショートカットアイコン操作制限処理プログラム（図７参照）等が記録されたＲＯＭ４３、ＲＯＭ４３から読み出したプログラムを記憶するフラッシュメモリ４４等の内部記憶装置を備えている。尚、ナビゲーションＥＣＵ１３は、処理アルゴリズムとしての各種手段を構成する。例えば、制御手段は、ユーザにより操作対象となる操作対象物を配置した操作画面において操作対象物が操作された場合に、該操作対象物の操作内容に基づいて制御を行う。ショートカットアイコン生成手段は、操作画面と対応付けたショートカットアイコンを生成する。ショートカット画面表示手段は、ショートカットアイコンがユーザに選択された場合に、該ショートカットアイコンに対応付けられた操作画面を液晶ディスプレイ１５に表示する。車両状態取得手段は、車両の状態を取得し、規制画面特定手段は、取得した車両の状態に基づいて、規制対象となる操作画面を特定する。表示態様変更手段は、ショートカットアイコン生成手段により生成されたショートカットアイコンに対応付けられた操作画面が規制画面特定手段により規制対象に特定された場合に、該ショートカットアイコンの表示態様を変更する。規制操作対象物特定手段は、取得した車両の状態に基づいて、ユーザによる操作を規制する対象となる操作対象物を規制操作対象物として特定する。案内経路設定手段は、出発地（例えば車両の現在位置）から目的地へと至る案内経路を設定する。
【００３６】
タッチパネル１４は、液晶ディスプレイ１５の表示領域の前面に配置され、地図画像のスクロール表示を行う場合や操作画面に配置された操作対象物やショートカットアイコン等を操作、選択する場合等に用いられる。
【００３７】
そして、ナビゲーションＥＣＵ１３は、タッチパネル１４の操作によりタッチパネル１４から出力される検出信号に基づき、タッチパネル１４にユーザがタッチしていない状態からタッチした状態へと移行する“タッチオン”や、タッチパネル１４にユーザがタッチした状態からタッチしていない状態へと移行する“タッチオフ”を検出する。また、ユーザがタッチした地点の座標であるタッチ座標や、地図画像やボタン等の操作対象物の選択を行っている状態でタッチする位置を移動させる操作（即ちドラッグ操作やフリック操作）を受け付けた場合のタッチ座標の変位についても検出する。そして、ナビゲーションＥＣＵ１３は、検出したタッチ操作やタッチ座標等に対応する各種の動作を実行すべく制御を行う。
尚、ユーザの操作を受け付ける手段としては、タッチパネル１４の代わりに操作ボタンやリモコンやマウスを用いても良い。
【００３８】
また、液晶ディスプレイ１５には、道路網を含む地図画像、目的地名称検索画面や目的地消去画面や目的地設定メニュー画面等の操作画面、交通情報、操作案内、キーの案内、現在位置から目的地までの案内経路、案内経路に沿った案内情報、ニュース、天気予報、時刻、メール、テレビ番組等が表示される。また、地図画像にはナビゲーション装置１において現在登録されているショートカットアイコンが重畳して表示される。ここで、図４は、図２に示す“００１”〜“００３”のショートカットアイコンが登録されている状態で、車両の走行中に液晶ディスプレイ１５に表示される走行案内画面５０の一例を示した図である。
【００３９】
図４に示すように液晶ディスプレイ１５に表示される走行案内画面５０には、車両の現在位置周辺の地図画像５１と、地図上にマッチングされた車両の現在位置を示す自車位置マーク５２と、地図画像の表示対象領域の中央位置を特定する中央カーソル５３と、ナビゲーション装置１に現在設定されている案内経路５４（案内経路が設定されている場合のみ表示）と、ナビゲーション装置１で所定機能を実行させる為に選択される為の各種ボタン５５〜５９と、ナビゲーション装置１において現在登録されているショートカットアイコン６０〜６２が表示される。そして、ユーザは走行案内画面５０を参照することによって、現在の車両周辺の施設情報や道路形状（案内経路が設定されている場合には案内経路を含む）等を把握することが可能となる。また、詳細ボタン５５をタッチオンして選択すると、地図の縮尺をより大きい縮尺に変更することが可能である。また、メニューボタン５６をタッチオンして選択すると、ナビゲーション装置１のメニュー画面を表示することが可能である。また、目的地セットボタン５７をタッチオンして選択すると、中央カーソル５３の示す地点を目的地に設定することが可能である。また、地点登録ボタン５８をタッチオンして選択すると、中央カーソル５３の示す地点を登録地点としてナビゲーション装置１に登録することが可能である。また、広域ボタン５９をタッチオンして選択すると、地図の縮尺をより小さい縮尺に変更することが可能である。
【００４０】
また、ショートカットアイコン６０をタッチオンして選択すると、ショートカットアイコン６０に対応付けられた目的地設定メニュー画面を液晶ディスプレイ１５に表示する。また、ショートカットアイコン６１をタッチオンして選択すると、ショートカットアイコン６１に対応付けられた目的地名称検索画面を液晶ディスプレイ１５に表示する。また、ショートカットアイコン６２をタッチオンして選択すると、ショートカットアイコン６２に対応付けられた目的地消去画面を液晶ディスプレイ１５に表示する。
【００４１】
また、本実施形態に係るナビゲーション装置１では、上述したショートカットアイコン６０〜６２に対応付けられた操作画面が、現在の車両の状態において規制対象となる場合には、該当するショートカットアイコンの表示態様を変更（例えばトーンダウン）するとともに、ユーザにより選択できないように制御する。具体的には、ユーザによってショートカットアイコンがタッチされても、選択しないよう制御する。尚、対象となるショートカットアイコンを地図画像上から消去することにより、ユーザにより選択できないように制御しても良い。尚、詳細については後述する。
【００４２】
また、スピーカ１６は、ナビゲーションＥＣＵ１３からの指示に基づいて案内経路に沿った走行を案内する音声ガイダンスや、交通情報の案内を出力する。また、施設検索を行った場合に検索された施設に関する情報を出力する際にも用いられる。
【００４３】
また、ＤＶＤドライブ１７は、ＤＶＤやＣＤ等の記録媒体に記録されたデータを読み取り可能なドライブである。そして、読み取ったデータに基づいて音楽や映像の再生、地図情報ＤＢ３１の更新等が行われる。尚、ＤＶＤドライブ１７の代わりにＨＤＤやメモリーカードリーダを備える構成としても良い。
【００４４】
また、通信モジュール１８は、交通情報センタ、例えば、ＶＩＣＳセンタやプローブセンタ等から送信された渋滞情報、規制情報、交通事故情報等の各情報から成る交通情報を受信する為の通信装置であり、例えば携帯電話機やＤＣＭが該当する。
【００４５】
続いて、前記構成を有するナビゲーション装置１においてＣＰＵ４１が実行するショートカットアイコン登録処理プログラムについて図５に基づき説明する。図５は本実施形態に係るショートアイコン登録処理プログラムのフローチャートである。ここで、ショートカットアイコン登録処理プログラムは、車両のＡＣＣがＯＮされた後に実行され、操作画面と対応付けたショートカットアイコンを生成するプログラムである。尚、以下の図５及び図７にフローチャートで示されるプログラムは、ナビゲーション装置１が備えているＲＡＭ４２やＲＯＭ４３に記憶されており、ＣＰＵ４１により実行される。
【００４６】
先ず、ショートカットアイコン登録処理プログラムではステップ（以下、Ｓと略記する）１において、ＣＰＵ４１は、液晶ディスプレイ１５に対して走行案内画面５０（図４）を表示する。
【００４７】
次に、Ｓ２においてＣＰＵ４１は、液晶ディスプレイ１５に操作画面を表示する為の所定の操作が行われたか否かを判定する。尚、操作画面としては、目的地名称検索画面、目的地消去画面、目的地設定メニュー画面等がある。例えば、目的地設定メニュー画面は、走行案内画面５０に配置されたメニューボタン５６を押下した際に液晶ディスプレイ１５に表示されるメニュー画面（図示せず）において、更に目的地設定ボタンが押下された際に表示される。また、目的地消去画面は、同じくメニュー画面において、更に目的地消去ボタンが押下された際に表示される。また、目的地名称検索画面は、目的地設定メニュー画面において、更に名称検索ボタンが押下された際に表示される。
【００４８】
そして、液晶ディスプレイ１５に操作画面を表示する為の所定の操作が行われたと判定された場合（Ｓ２：ＹＥＳ）には、Ｓ３へと移行する。それに対して、液晶ディスプレイ１５に操作画面を表示する為の所定の操作が行われていないと判定された場合（Ｓ２：ＮＯ）には、当該ショートカットアイコン登録処理プログラムを終了する。
【００４９】
続いて、Ｓ３においてＣＰＵ４１は、受け付けたユーザの操作に基づいて操作画面を液晶ディスプレイ１５に表示する。そして、ＣＰＵ４１は、液晶ディスプレイ１５に表示された操作画面に配置された操作対象物（アイコン、ボタン、カーソル）がユーザによって操作された場合に、その操作内容に基づいて各種制御（目的地設定、目的地消去、施設検索等）を実行する。また、操作画面には、操作対象物である通常のボタンやキーに加えて、現在表示されている操作画面を対応づけたショートカットアイコンを新たに生成する際に、ユーザによって操作されるショートカット登録ボタンについても配置される。
【００５０】
ここで、図６は液晶ディスプレイ１５に表示される目的地設定メニュー画面７１を示した図である。図６に示すように、目的地設定メニュー画面７１には、操作対象物として各種ボタン７２〜８１が配置される。例えば、名称検索ボタン７２は、目的地の名称検索を行う場合にユーザによって選択されるボタンである。また、住所検索ボタン７３は、目的地の住所検索を行う場合にユーザによって操作されるボタンである。また、ジャンル検索ボタン７４は、目的地のジャンル検索を行う場合にユーザによって操作されるボタンである。また、メモリ地点７６は、過去に登録された地点を目的地に設定する際にユーザによって操作されるボタンである。履歴ボタン７７は、目的地の設定履歴を表示する際にユーザによって操作されるボタンである。自宅ボタン７８は、ナビゲーション装置１に設定され得た自宅を目的地に設定する際にユーザによって操作されるボタンである。メモリボタン７９は、過去に登録された地点の内、特に指定された地点を目的地に設定する際にユーザによって操作されるボタンである。ショートカット登録ボタン８０は、現在液晶ディスプレイ１５に表示されている操作画面である目的地設定メニュー画面７１に対応づけたショートカットアイコンを生成する際にユーザによって操作されるボタンである。戻るボタン８１は、液晶ディスプレイ１５に表示された画面を一つ前の表示画面（例えばメニュー画面や走行案内画面）に戻す際にユーザによって操作されるボタンである。そして、ＣＰＵ４１は、液晶ディスプレイ１５に表示された各種ボタン７２〜８１がユーザによって操作された場合に、ボタンに対応する各種制御を実行する。尚、後述のように目的地設定メニュー画面７１に表示された各種ボタン７２〜８１の内、現在の車両の状態と規制テーブル３３とに基づいて、ユーザによる操作を規制する対象に特定されたボタンについては、表示態様が変更（例えばトーンダウン）されるとともに、ユーザにより操作できないように制御される。
【００５１】
次に、Ｓ４においてＣＰＵ４１は、ユーザからショートカットアイコンの作成指示を受け付けたか否か判定する。具体的には、前記Ｓ３で表示された操作画面に配置されたショートカット登録ボタンが押下された場合に、ユーザからショートカットアイコンの作成指示を受け付けたと判定する。
【００５２】
そして、ユーザからショートカットアイコンの作成指示を受け付けたと判定された場合（Ｓ４：ＹＥＳ）には、Ｓ５へと移行する。それに対して、ユーザからショートカットアイコンの作成指示を受け付けていないと判定された場合（Ｓ４：ＮＯ）には、当該ショートカットアイコン登録処理プログラムを終了する。
【００５３】
Ｓ５においてＣＰＵ４１は、現在表示されている操作画面を対応付けたショートカットアイコンを新たに生成し、ショートカットアイコン登録テーブル３２（図２）を更新する。
【００５４】
続いて、Ｓ６においてＣＰＵ４１は、生成されたショートカットアイコンを走行案内画面５０の地図画像上に重畳して表示する（図４参照）。そして、地図画像上に表示されたショートカットアイコンがユーザに選択された場合には、ＣＰＵ４１は、ショートカットアイコン登録テーブル３２を参照して選択されたショートカットアイコンに対応する操作画面を特定し、特定された操作画面を液晶ディスプレイ１５に表示する。
【００５５】
次に、ナビゲーション装置１においてＣＰＵ４１が実行するショートカットアイコン操作制限処理プログラムについて図７に基づき説明する。図７は本実施形態に係るショートカットアイコン操作制限処理プログラムのフローチャートである。ここで、ショートカットアイコン操作制限処理プログラムは、車両のＡＣＣがＯＮされた後に実行され、車両の状態に基づいて規制対象とする操作画面を特定し、規制対象に特定された操作画面に対応付けられたショートカットアイコンの表示態様を変更するプログラムである。
【００５６】
先ず、ショートカットアイコン操作制限処理プログラムではＳ１１において、ＣＰＵ４１は、ナビゲーション装置１の搭載された車両の状態を取得する。尚、車両の状態としては、走行状態、停止状態、ナビゲーション装置１に設定された案内経路に基づいて走行案内が行われている状態、ナビゲーション装置１に案内経路が設定されておらず、案内経路に基づく走行案内が行われていない状態等があり、ＣＰＵ４１は各種センサやメモリのデータを読み出すことにより取得する。
【００５７】
次に、Ｓ１２においてＣＰＵ４１は、前記Ｓ１１で取得した車両の状態と規制テーブル３３（図３）とに基づいて、各操作画面に配置される操作対象物の内、現在の車両の状態においてユーザによる操作を規制する対象となる操作対象物（規制操作対象物）を特定する。具体的に前記Ｓ１２の処理では、ＣＰＵ４１は、先ず、規制テーブル３３を参照して、操作画面に配置される操作対象物毎に規制操作対象物とするか否かを判定する。各操作対象物には規制フラグが予め対応づけられて記憶されており、ＣＰＵ４１は規制操作対象物にすると判定された操作対象物に対応付けられた規制フラグについてオンに設定し、規制操作対象物にしないと判定された操作対象物に対応付けられた規制フラグについてはオフに設定する。そして、ＣＰＵ４１は、規制フラグがオンに設定された操作対象物を規制操作対象物として特定する。
例えば、車両が“走行状態”にあって、ナビゲーション装置１に設定された案内経路に基づく走行案内が行われている状態（“案内状態”）にある場合には、規制テーブル３３において“走行状態”と“案内状態”で規制対象に規定されている操作対象物に対応付けられた規制フラグをそれぞれオンに設定する。一方、規制テーブル３３において“走行状態”と“案内状態”でいずれも規制対象に規定されていない操作対象物に対応付けられた規制フラグについてはオフに設定する。
【００５８】
続いて、Ｓ１３においてＣＰＵ４１は、現在液晶ディスプレイ１５において、前記Ｓ１２で特定された規制操作対象物を配置する操作画面が表示されているか否かを判定する。
【００５９】
そして、前記Ｓ１２で特定された規制操作対象物を配置する操作画面が表示されていると判定された場合（Ｓ１３：ＹＥＳ）には、Ｓ１４へと移行する。それに対して、前記Ｓ１２で特定された規制操作対象物を配置する操作画面が表示されていないと判定された場合（Ｓ１３：ＮＯ）には、Ｓ１５へと移行する。
【００６０】
Ｓ１４においてＣＰＵ４１は、現在液晶ディスプレイ１５に表示されている操作画面に配置された操作対象物の内、規制操作対象物（即ち、規制フラグがオンに設定された操作対象物）に特定された操作対象物の表示態様を変更するとともに、ユーザにより操作できないように制御する。例えば、ＣＰＵ４１は規制操作対象部に特定された操作対象物をトーンダウンして表示する。
【００６１】
その後、Ｓ１５においてＣＰＵ４１は、配置される全ての操作対象物が規制操作対象物に特定された操作画面があるか否かを判定する。但し、操作画面において本来目的としている処理以外の処理を実行する際に操作される対象物については、操作画面における操作対象物ではないとして前記Ｓ１５の判定対象から除かれる。例えば、ショートカットアイコンを登録する際に押下される“ショートカット登録ボタン”や、液晶ディスプレイ１５に表示された画面を一つ前の表示画面（例えばメニュー画面や走行案内画面）に戻す際にユーザによって操作される“戻るボタン”等は前記Ｓ１５の判定対象から除かれる。また、前記Ｓ１５では、配置される全ての操作対象物が規制操作対象物に特定された操作画面ではなく、配置された操作対象物の内、所定数や所定割合（例えば９割）以上の操作対象物が規制操作対象物に特定された操作画面があるか否かを判定する構成としても良い。
【００６２】
そして、配置される全ての操作対象物が規制操作対象物に特定された操作画面があると判定された場合（Ｓ１５：ＹＥＳ）には、該操作画面を規制対象となる操作画面（以下、規制操作画面という）として特定し、Ｓ１６へと移行する。それに対して、配置される全ての操作対象物が規制操作対象物に特定された操作画面が無いと判定された場合（Ｓ１５：ＮＯ）には、当該ショートカットアイコン操作制限処理プログラムを終了する。
【００６３】
Ｓ１６においてＣＰＵ４１は、規制操作画面を対応づけたショートカットアイコンがナビゲーション装置１において登録されているか否かを判定する。具体的には、ＣＰＵ４１はショートカットアイコン登録テーブル３２を参照し、規制操作画面に対応付けられたショートカットアイコンが有るか否かを検索することにより前記Ｓ１６の判定処理を実行する。
【００６４】
そして、規制操作画面を対応づけたショートカットアイコンがナビゲーション装置１において登録されていると判定された場合（Ｓ１６：ＹＥＳ）には、Ｓ１７へと移行する。一方、規制操作画面を対応づけたショートカットアイコンがナビゲーション装置１において登録されていないと判定された場合（Ｓ１６：ＮＯ）には、当該ショートカットアイコン操作制限処理プログラムを終了する。
【００６５】
Ｓ１７においてＣＰＵ４１は、規制操作画面を対応づけたショートカットアイコンの表示態様を変更（例えばトーンダウン）するとともに、ユーザにより選択できないように制御する。
【００６６】
以下に、前記Ｓ１７の処理について具体例を挙げてより詳細に説明する。
先ず、車両が走行中で、ナビゲーション装置１に設定された案内経路に基づいて走行案内が行われている状態（案内状態）にある場合であって、図２に示す“００１”〜“００３”のショートカットアイコンが登録されている場合について図８及び図９を用いて説明する。
【００６７】
車両が走行中で案内状態にある場合には、図８の（Ａ）に示すように目的地設定メニュー画面７１では前記Ｓ１２で規制操作対象物に特定された操作対象物８５と、規制操作対象物に特定されなかった操作対象物８６とがそれぞれ存在する。また、図８の（Ｂ）に示すように目的地名称検索画面９１では前記Ｓ１２で規制操作対象物に特定された操作対象物８５のみが存在する。また、図８の（Ｃ）に示すように目的地消去画面９４では前記Ｓ１２で規制操作対象物に特定されていない操作対象物８６のみが存在する。
その結果、ＣＰＵ４１は、目的地名称検索画面９１については、配置される全ての操作対象物が規制操作対象物に特定されているので規制操作画面と認定する。一方、目的地設定メニュー画面７１や目的地消去画面９４については、配置される全ての操作対象物が規制操作対象物に特定されていないので規制操作画面と認定しない。
その結果、ＣＰＵ４１は前記Ｓ１７において、図９に示すようにショートカットアイコン６０〜６２の内、目的地名称検索画面９１が対応付けられたショートカットアイコン６１の表示態様を変更（例えばトーンダウン）するとともに、ユーザにより選択できないように制御する。
【００６８】
次に、前記Ｓ１７の処理について具体例を挙げてより詳細に説明する。
先ず、車両が停車中で、ナビゲーション装置１に案内経路が設定されておらず、案内経路に基づいて走行案内が行われていない状態（非案内状態）にある場合であって、図２に示す“００１”〜“００３”のショートカットアイコンが登録されている場合について図１０及び図１１を用いて説明する。
【００６９】
車両が走行中で案内状態にある場合には、図１０の（Ａ）に示すように目的地設定メニュー画面７１では前記Ｓ１２で規制操作対象物に特定されていない操作対象物８６のみが存在する。また、図１０の（Ｂ）に示すように目的地名称検索画面９１では前記Ｓ１２で規制操作対象物に特定されていない操作対象物８６のみが存在する。また、図１０の（Ｃ）に示すように目的地消去画面９４では前記Ｓ１２で規制操作対象物に特定された操作対象物８５のみが存在する。
その結果、ＣＰＵ４１は、目的地消去画面９４については、配置される全ての操作対象物が規制操作対象物に特定されているので規制操作画面と認定する。一方、目的地設定メニュー画面７１や目的地名称検索画面９１については、配置される全ての操作対象物が規制操作対象物に特定されていないので規制操作画面と認定しない。
その結果、ＣＰＵ４１は前記Ｓ１７において、図１１に示すようにショートカットアイコン６０〜６２の内、目的地消去画面９４が対応付けられたショートカットアイコン６２の表示態様を変更（例えばトーンダウン）するとともに、ユーザにより選択できないように制御する。
【００７０】
以上詳細に説明した通り、本実施形態に係るナビゲーション装置１、ナビゲーション装置１の制御方法及びナビゲーション装置１で実行されるコンピュータプログラムでは、液晶ディスプレイ１５に操作画面が表示された状態でショートカット登録ボタンが押下された場合に、該操作画面と対応付けたショートカットアイコンを生成するとともに（Ｓ５）、生成されたショートカットアイコンがユーザに選択された場合に、該ショートカットアイコンに対応付けられた操作画面を液晶ディスプレイ１５に表示する。その一方で、車両の状態を取得し（Ｓ１１）、取得した車両の状態に基づいて、規制対象となる操作画面を特定し（Ｓ１２〜Ｓ１５）、生成されたショートカットアイコンに対応付けられた操作画面が規制対象に特定された場合には、該ショートカットアイコンの表示態様を変更する（Ｓ１７）ので、予め規制対象となる操作画面を液晶ディスプレイ１５に表示させるショートカットアイコンについては表示態様を変更することができる。従って、規制対象となる操作画面に対応付けられたショートカットアイコンについては、選択前にユーザに容易に把握させることが可能となる。その結果、規制対象となる操作画面に対応付けられたショートカットアイコンが選択されて、ユーザに不要な操作を課すことを防止できる。
また、車両の状態に基づいて、ユーザによる操作を規制する対象となる操作対象物を規制操作対象物として特定し、操作画面に配置された操作対象物が規制操作対象物に特定された場合に、該操作画面を規制対象に特定する（Ｓ１２〜Ｓ１７）ので、表示されてもユーザに不要な操作を課すこととなる操作画面を適切に規制対象に特定することが可能となる。
また、ナビゲーション装置１に記憶された規制テーブル３３に基づいて規制操作対象物を特定するので、規制対象物が操作画面に多数配置される場合であってもユーザによる操作を規制する対象となる操作対象物を規制操作対象物として適切且つ容易に特定することが可能となる。従って、ＣＰＵの処理負担を軽減することが可能となる。
また、車両が走行状態にある場合には、機能を実行する為に所定回数以上のユーザの操作を必要とする操作対象物を規制操作対象物に特定するので、車両が走行状態にある場合にユーザに操作させるのが不適だと考えられる操作対象物について規制操作対象物として適切に特定することが可能となる。その結果、規制対象となる操作画面に対応付けられたショートカットアイコンが選択されて、ユーザに不要な操作を課すことを防止できる。
また、車両が案内経路に基づいて走行案内が行われていない状態にある場合に、該当する操作対象物を規制操作対象物に特定するので、車両が案内経路に基づいて走行案内が行われていない状態にある場合にユーザに操作させる必要の無い操作対象物について規制操作対象物として適切に特定することが可能となる。その結果、規制対象となる操作画面に対応付けられたショートカットアイコンが選択されて、ユーザに不要な操作を課すことを防止できる。
【００７１】
尚、本発明は前記実施形態に限定されるものではなく、本発明の要旨を逸脱しない範囲内で種々の改良、変形が可能であることは勿論である。
例えば、本実施形態では走行案内画面５０（図４）の地図画像上に生成されたショートカットアイコンを表示するように構成しているが、地図画像上以外の場所に配置するように構成しても良い。また、走行案内画面５０以外の画面が表示されている状態であってもショートカットアイコンを表示するように構成しても良い。
【００７２】
また、本実施形態では操作画面に配置される操作対象物が規制対象であるか否かにより該操作画面が規制対象であるか否かを判定したが、各操作画面それぞれについて該操作画面が規制対象であるか否かのフラグ等を用いて決定する構成としても良い。
【００７３】
また、本実施形態では規制対象に特定された操作画面に対応付けられたショートカットアイコンについてトーンダウン表示するように構成されているが、文字サイズ、文字色、字体等を変更するように構成しても良い。また、該当するショートカットアイコンを表示しないように構成しても良い。
【００７４】
また、本発明はナビゲーション装置以外に、車両に搭載される他の車載器（例えば、オーディオ装置、ＥＴＣ装置等、テレビ受像機）に適用することも可能である。
【符号の説明】
【００７５】
１              ナビゲーション装置
１３            ナビゲーションＥＣＵ
１５            液晶ディスプレイ
３２            ショートカットアイコン登録テーブル
３３            規制テーブル
４１            ＣＰＵ
４２            ＲＡＭ
４３            ＲＯＭ
６０〜６２      ショートカットアイコン
７１            目的地設定メニュー画面
８５、８６      操作対象物
９１            目的地名称検索画面
９４            目的地消去画面
【図１】
2012132853.tif 000003
【図２】
2012132853.tif 000004
【図３】
2012132853.tif 000005
【図４】
2012132853.tif 000006
【図５】
2012132853.tif 000007
【図６】
2012132853.tif 000008
【図７】
2012132853.tif 000009
【図８】
2012132853.tif 000010
【図９】
2012132853.tif 000011
【図１０】
2012132853.tif 000012
【図１１】
2012132853.tif 000013